(57)【特許請求の範囲】
【請求項１】
雪を掬い取る本体と、この本体に取り付けられた柄部とからなる雪かきにおいて、
前記本体に一体的に形成され前記柄部の先端が嵌合される接続筒部と、
前記柄部の先端に取り付けられこの柄部と共に前記接続筒部に嵌合されることで前記本体と柄部とが互いに堅固に接続されるソケットとを備え、
前記柄部の先端部に前記ソケットの内径に合せて縮径して形成されて前記ソケットが嵌合する縮径部と、
当該縮径部の基端部に形成されて前記ソケットの基端部側の端面に当接して覆う膨出部と、
前記ソケットの基端部に膨出して形成されて前記接続筒部に嵌合された状態でその先端側面が当該接続筒部の開口端面を覆うと共に基端側に向けて徐々に縮径させたテーパ状に形成されてその基端部側の端面が前記膨出部に覆われるフランジ部とを備えた
ことを特徴とする雪かき。
【発明の詳細な説明】
【０００１】
【産業上の利用分野】
本発明は、雪を掬い取る雪かきに関し、特に本体と柄部との接続構造を改良した雪かきに関する。
【０００２】
【従来の技術】
従来の雪かきとしては、例えば実公平１−４１５８３号公報記載の「握柄棒取付装置」が知られている。この装置を図６及び図７に基づいて説明する。
【０００３】
図中の１は雪を掬い取る本体である。この本体１の後部中央には木製棒状の柄部２を接続するための接続筒部３が設けられている。４は接続筒部３に嵌合されるソケットで、柄部２の先端に取り付けられている。このソケット４は有底筒状に形成され、木ねじ５で柄部２に固定されている。
【０００４】
接続筒部３の底部とソケット４の先端部との間には抜止機構７が設けられている。この抜止機構７は、接続筒部３の底部に形成された係止穴８と、ソケット４の先端に形成された係止爪９とから構成されている。
【０００５】
接続筒部３の内周とソケット４の外周との間には回止機構１１が設けられている。この回止機構１１は接続筒部３に設けられたキー溝１２と、ソケット４に設けられたキー１３とから構成されている。
【０００６】
【発明が解決しようとする課題】
ところで、前記従来例では、接続筒部３の開口端部３Ａ及びソケット４の基端部４Ａはともに、単純に筒を切断した形状になっている。また、接続筒部３とソケット４との間及びソケット４と柄部２との間には、それぞれ多少の隙間が空いている。しかも、この隙間は柄部２の軸方向に開口している。
【０００７】
一方、雪かきで雪を掬い取る場合、本体１を雪の中に突き刺すと、接続筒部３の開口端部３Ａ及びソケット４の基端部４Ａまで雪の中に埋ってしまうことがある。この状態で柄部２を引くと、接続筒部３とソケット４との隙間及びソケット４と柄部２との隙間から雪水が侵入することがある。この雪水は接続筒部３とソケット４との隙間及びソケット４と柄部２との隙間から一旦侵入すると、長時間蒸発しないで各隙間に存在する。このため、長期間の使用により、接続筒部３とソケット４との隙間では木ねじ５が錆びてしまう。ソケット４と柄部２との隙間では木製の柄部２が腐食して隙間が大きくなってしまう。この結果、本体１と柄部２との間がぐらつくようになるという問題点がある。
【０００８】
本発明は以上述べたような問題点に鑑みてなされたもので、接続筒部とソケットとの隙間及びソケットと柄部との隙間に雪水が侵入するのを確実に防止し得る雪かきを提供することを目的とする。
【０００９】
【課題を解決するための手段】
前述した課題を解決するために第１の発明に係る雪かきは、雪を掬い取る本体と、この本体に取り付けられた柄部とからなる雪かきにおいて、前記本体に一体的に形成され前記柄部の先端が嵌合される接続筒部と、前記柄部の先端に取り付けられこの柄部と共に前記接続筒部に嵌合されることで前記本体と柄部とが互いに堅固に接続されるソケットとを備え、前記柄部の先端部に前記ソケットの内径に合せて縮径して形成されて前記ソケットが嵌合する縮径部と、当該縮径部の基端部に形成されて前記ソケットの基端部側の端面に当接して覆う膨出部と、前記ソケットの基端部に膨出して形成されて前記接続筒部に嵌合された状態でその先端側面が接続筒部の開口端面を覆うと共に基端側に向けて徐々に縮径させたテーパ状に形成されてその基端部側の端面が前記膨出部に覆われるフランジ部とを備えたことを特徴とする。
【００１０】
【作用】
第１の発明の雪かきでは、ソケットの基端部を膨出させて接続筒部の開口端面を覆うフランジ部を形成したので、雪を掬うために本体を雪の中に突き刺してソケットの基端部まで雪に埋っても、抜くときに雪はフランジ部に案内されて接続筒部の外側に押しやられる。この結果、接続筒部とソケットとの隙間から内部に雪水が侵入するのを防止することができる。
【００１１】
さらに、ソケットの基端部側の端面が柄部の膨出部で覆われるので、ソケットの基端部まで雪に埋っても、抜くときに雪は膨出部に案内され、さらにフランジ部に案内されて接続筒部の外側に押しやられる。この結果、ソケットと柄部との隙間から内部に雪水が侵入するのを防止することができる。即ち、前記膨出部で前記フランジ部の基端部側の端面が覆われ、当該フランジ部で前記接続筒部の開口端面が覆われた状態で、雪かきをそのソケットの基端部まで雪に埋めて引き抜くと、前記柄部の外周表面に位置する雪は、前記フランジ部の基端部側の端面を覆う膨出部に案内されてフランジ部の外側に押しやられる。この雪は、前記接続筒部の開口端面を覆うフランジ部ではそのテーパ状の面に案内されて接続筒部の外側に押しやられる。この結果、ソケットと柄部との隙間から内部に雪水が侵入するのを防止することができる。
【００１２】
【実施例】
以下、本発明の実施例について図面を参照しながら説明する。図１は本実施例に係る雪かきの特徴部分を示す側面断面図、図２は雪かきを示す正面図、図３は雪かきを示す側面図、図４は雪かきの本体と柄部とを分離した状態で示す正面図、図５は雪かきの本体と柄部とを分離した状態で示す側面図である。
【００１３】
本実施例の雪かき２１は、図２ないし図５に示すように主に、雪を掬い取る本体２２と、この本体２２に取り付けられた木製の柄部２３とから構成されている。
【００１４】
本体２２はほぼ四角形の皿状に形成されている。この皿状の本体２２は、雪を掬い易いように、その先端側（図２中の下端側）を浅く、基端側を深く形成されている。本体２２の中央部には、柄部２３の軸方向に沿って接続筒部２５が形成されている。この接続筒部２５は本体２２に一体的に形成され、柄部２３の先端が嵌合される。接続筒部２５の開口端面２５Ａは円筒を横方向に切断しただけの構成となっている。本体２２のうち、接続筒部２５の両側には補強用の凸条２７，２８が形成されている。本体２２の基端部のうち、接続筒部２５を挟む両側には作業者が足を掛けるための足掛け部２９，３０が形成されている。この足掛け部２９，３０には滑り止め加工が施されている。この足掛け部２９，３０の滑り止め加工としては縞状に刻んだ無数の溝が設けられている。さらに、足掛け部２９，３０の各外側端部には、この足掛け部２９，３０に掛けた作業者の足が滑り落ちないように滑り落ち防止用突起３１，３２がそれぞれ設けられている。
【００１５】
柄部２３は全体を木製の丸棒で構成されている。柄部２３の基端部（図２中の上端部）には作業者が手で持つための把持部３３が取り付けられている。柄部２３の先端側（図２中の下端側）にはソケット３５が取り付けられている。このソケット３５は柄部２３と共に接続筒部２５に嵌合される。ソケット３５は有底筒状に形成され、２本の木ねじ３６，３７で柄部２３に固定されている。この木ねじ３６，３７は、後述するキー４７の中間位置に配設されている。
【００１６】
ソケット３５の基端部（図２中の上端部）にはフランジ部４０が形成されている。このフランジ部４０は、図１に示すように、ソケット３５の基端部を膨出して形成され、接続筒部２５の開口端面２５Ａを覆うようになっている。即ち、フランジ部４０は、ソケット３５の基端部から径方向外方に拡大して形成され、このソケット３５が接続筒部２５に嵌合された状態で、接続筒部２５の開口端面２５Ａを覆うようになっている。さらにフランジ部４０は、基端側（図１中の上端側）に向けて徐々に縮径させテーパ状に形成されている。これにより、柄部２３の軸方向にできる接続筒部２５とソケット３５との隙間は、フランジ部４０で覆われてしまう。後述する回止機構４５が位置する部分は、この回止機構４５に合せ、これを覆うように膨らませて形成されている。
【００１７】
柄部２３の先端部（図１中の下端部）には、ソケット３５が嵌合するための縮径部４１が形成されている。この縮径部４１は、ソケット３５の内径が柄部２３の外径よりも僅かに小さく形成されているため、柄部２３の先端部をソケット３５の内径に合せて縮径して形成したものである。この縮径部４１の基端部には段部４１Ａが形成され、ソケット３５の基端部側の端面３５Ａが当接する。これにより、段部４１Ａが結果的にソケット３５の端面３５Ａを覆うようになっている。この段部４１Ａが膨出部を構成している。これにより、柄部２３の軸方向にできるソケット３５と柄部２３との隙間は、段部４１Ａで覆われる。
【００１８】
接続筒部２５の底部（図１中の下部）とソケット３５の先端部との間には抜止機構４２が設けられている。この抜止機構４２は、前記従来の抜止機構７と同様に、接続筒部２５の底部に形成された係止穴４３と、ソケット３５の先端に形成された係止爪４４とから構成されている。
【００１９】
接続筒部２５の内周とソケット３５の外周との間には回止機構４５が設けられている。この回止機構４５は、前記従来の回止機構１１と同様に、接続筒部２５に設けられたキー溝４６と、ソケット３５に設けられたキー４７とから構成されている。
【００２０】
前記構成により、ソケット３５が接続筒部２５に嵌合すると、抜止機構４２の係止穴４３に係止爪４４が嵌合係止される。さらに、回止機構４５のキー溝４６にキー４７が嵌合する。これにより、本体２２と柄部２３とが互いに堅固に接続される。
【００２１】
以上のように構成された雪かき２１を用いて雪を掬い取る場合は以下のようになる。
【００２２】
作業者が柄部２３とその基端部の把持部３３とを握って本体２２を雪の中に突き刺す。そして、この本体２２で雪を掬って手前に引き寄せる。この際に、接続筒部２５の開口端面２５Ａ及びソケット３５の端面３５Ａまで雪の中に埋ってしまうことがある。この状態で柄部２３を手前に引くと、接続筒部２５及びソケット３５の部分にある雪は柄部２３に沿ってこの柄部２３の先端側にずれる。そして、雪はまずソケット３５の端面３５Ａが当接した段部４１Ａによりソケット３５の外側に案内される。さらに、このソケット３５ではそのフランジ部４０によって接続筒部２５の外側に案内され、押しやられる。
【００２３】
この結果、接続筒部２５とソケット３５との隙間及びソケット３５と柄部２３との隙間に雪水が侵入するのを防止することができ、前述した従来の問題を確実に解消して、雪かきに対する信頼性が向上する。
【００２４】
なお、前記実施例では、膨出部を柄部２３の縮径部４１の基端部に形成される段部４１Ａで構成したが、ソケット３５の内径を柄部２３の外径とほぼ同じ径にした場合には、膨出部は柄部２３の外周面を拡径して形成することになる。
【００２５】
また、前記実施例では、ソケット３５を柄部２３に木ねじ３６，３７で固定したが、釘等の他の手段で固定してもよい。
【００２６】
さらに、前記実施例では、柄部２３を木製の棒材で構成したが、これに限らず、アルミニウムや鉄等の金属製のパイプや、樹脂製の棒材やパイプ材を用いてもよい。さらに、金属製の場合はさび止めのために、樹脂をコーティングしてもよい。このとき、ソケット３５を柄部２３に固定する手段としては、柄部２３が樹脂製のときはねじや釘等を用い、金属製のときはリベットやねじ等を用いる。
【００２７】
【発明の効果】
以上詳細に説明したように本発明によれば、次の効果を奏することができる。
【００２８】
（１）  ソケットの基端部に接続筒部の開口端面を覆うフランジ部を形成したので、接続筒部とソケットとの隙間から内部に雪水が侵入するのを防止することができる。
【００２９】
（２）  ソケットの基端部側の端面が柄部の膨出部で覆われるので、雪水がソケットと柄部との隙間から内部に侵入するのを防止することができる。
【００３０】
（３）  前記（１），（２）により、柄部とソケットとを固定するねじ等の固定部材が錆びたり、柄部が腐食するのを防止することができる。この結果、本体と柄部との間がぐらつくことがなく、雪かきに対する信頼性が向上する。
【図面の簡単な説明】
【図１】本発明に係る雪かきの特徴部分を示す側面断面図である。
【図２】本発明に係る雪かきを示す正面図である。
【図３】本発明に係る雪かきを示す側面図である。
【図４】本発明に係る雪かきの本体と柄部とを分離した状態で示す正面図である。
【図５】本発明に係る雪かきの本体と柄部とを分離した状態で示す側面図である。
【図６】従来例に係る雪かきを示す分解斜視図である。
【図７】従来例に係る雪かきを示す要部断面図である。
【符号の説明】
２１…雪かき、２２…本体、２３…柄部、２５…接続筒部、２５Ａ…開口端面、３５…ソケット、３５Ａ…端面、３６，３７…木ねじ、４０…フランジ部、４１…縮径部、４１Ａ…段部、４２…抜止機構、４５…回止機構。
【図１】
0003606602.tif 000002
【図２】
0003606602.tif 000003
【図３】
0003606602.tif 000004
【図４】
0003606602.tif 000005
【図５】
0003606602.tif 000006
【図６】
0003606602.tif 000007
【図７】
0003606602.tif 000008